(57)【要約】      （修正有）【課題】熱応力による窓ガラスの損傷、および／または光スポットによる視界の妨害を効果的に防止する。【解決手段】電気的に広範囲に加熱可能な透明物体（１）に関し、これは、少なくとも１つの透明な電気的に絶縁性の基板（２）と、電力を送るために２つの電気母線（４．１および４．２）に接続されている、少なくとも１つの広範囲の導電性の透明被覆（３）と、導電性被覆（３）のない少なくとも１つの局所的透明領域（５）と、被覆（３）に付着され、データ送信窓（５）の周囲を少なくとも部分的に包囲し、被覆（３）のオームパースクエアの電気抵抗よりも低いオームパースクエアの電気抵抗を有する、被覆（３）に付着される導電帯（６）であり、少なくとも１つの離断（６．１）を有し、さらに、その製造方法およびその使用に関する。【選択図】図１
2014139936.tif 000002
【特許請求の範囲】
【請求項１】
電気的に広範囲に加熱可能な透明物体（１）であって、
ａ．少なくとも１つの透明な電気的に絶縁性の基板（２）と、
ｂ．電力を送るために２つの電気母線（４．１および４．２）に接続されている少なくとも１つの広範囲の導電性の透明被覆（３）と、
ｃ．導電性被覆（３）のない少なくとも１つの局所的透明領域（５）と、
ｄ．データ送信窓（５）の周囲を少なくとも部分的に包囲し、被覆（３）のオームパースクエアの電気抵抗よりも低いオームパースクエアの電気抵抗を有する、被覆（３）に付着される導電帯（６）であり、少なくとも１つの離断（６．１）を有している導電帯（６）と、を含む、電気的に広範囲に加熱可能な透明物体（１）。
【請求項２】
導電帯（６）が、２つの母線のうちの１つ（４．１または４．２）に接続されている、請求項１に記載の電気的に広範囲に加熱可能な透明物体（１）。
【請求項３】
少なくとも１つの離断（６．１）が配置されている導電帯（６）が１つだけ存在する、請求項１または２に記載の電気的に広範囲に加熱可能な透明物体（１）。
【請求項４】
導電帯（６）が少なくとも２つの離断（６．１）を有する、請求項１または２に記載の電気的に広範囲に加熱可能な透明物体（１）。
【請求項５】
少なくとも２つの離断（６．１）が少なくとも２つの導電帯（６）の少なくとも２つの平行な領域の間に配置されている、少なくとも２つの導電帯（６）が存在する、請求項４に記載の電気的に広範囲に加熱可能な透明物体（１）。
【請求項６】
少なくとも２つの導電帯（６）のうちの少なくとも１つが、帯内に少なくとも１つの離断（６．１）を有する、請求項５に記載の電気的に広範囲に加熱可能な透明物体（１）。
【請求項７】
導電帯（６）が領域（５）の周囲を完全に包囲する、請求項１から６のいずれか一項に記載の電気的に広範囲に加熱可能な透明物体（１）。
【請求項８】
導電帯（６）が１０から１００μｍの厚みを有する、請求項１から７のいずれか一項に記載の電気的に広範囲に加熱可能な透明物体（１）。
【請求項９】
導電帯（６）が０．３５オームパースクエア未満の電気抵抗を有する、請求項１から８のいずれか一項に記載の電気的に広範囲に加熱可能な透明物体（１）。
【請求項１０】
導電帯（６）が５００μｍから３ｃｍの幅を有する、請求項１から９のいずれか一項に記載の電気的に広範囲に加熱可能な透明物体（１）。
【請求項１１】
関連する帯（６）が接続される母線（４．１または４．２）と平行にまたは実質的に平行になっている導電帯（６）の領域（６．２）が、関連する母線（４．１または４．２）につながる領域（６．３）よりも幅広い、請求項１から１０のいずれか一項に記載の電気的に広範囲に加熱可能な透明物体（１）。
【請求項１２】
電気的に広範囲に加熱可能な透明物体（１）の製造方法であって、
（Ｉ）導電性材料（３．１）が、透明な電気的に絶縁性の基板（２）の上に広範囲に付着されて、材料（３．１）を含有する少なくとも１つの透明な導電性被覆（３）、および導電性被覆（３）のない少なくとも１つの局所的透明領域（５）を形成し、
（ＩＩ）被覆（３）が、２つの母線（４．１および４．２）に接続されており、
（ＩＩＩ）導電帯（６）が、少なくとも１つの領域（５）の周囲にある被覆に少なくとも部分的に付着されて、帯（６）が、少なくとも１つの離断（６．１）を有し、被覆（３）のオームパースクエアの電気抵抗よりも低いオームパースクエアの電気抵抗を有する、方法。
【請求項１３】
少なくとも１つの導電帯（６）が、プロセスステップ（ＩＩＩ）において、広範囲の導電性被覆（３）の上に印刷される、請求項１２に記載の方法。
【請求項１４】
陸上、航空、および水上交通向けの輸送手段における、ならびに家具、設備、および建築部門における、請求項１から１１のいずれか一項に記載の電気的な広範囲に加熱可能な透明物体の使用。
【請求項１５】
導電性被覆のない少なくとも１つの局所的透明領域（５）が、データ送信窓として機能する、請求項１４に記載の使用。
【発明の詳細な説明】
【技術分野】
【０００１】
本発明は、導電性被覆のない少なくとも１つの局所的透明領域を含む、広範囲の、導電性の、透明な被覆を備える透明な、電気的に絶縁性の基板を含む、新規の透明な、電気的に広範囲に加熱可能な物体に関する。
【０００２】
さらに、本発明は、導電性被覆のない少なくとも１つの局所的透明領域を含む、広範囲の、導電性の、透明な被覆を備える透明基板を含む、透明な、電気的に広範囲に加熱可能な物体の製造の新規な方法に関する。
【０００３】
そして、特に、本発明は、導電性被覆のない少なくとも１つの局所的透明領域を含む、透明な、電気的に広範囲に加熱可能な被膜を備える透明な、電気的に絶縁性の基板を含む、新規な透明物体の新規な使用、および新規な方法を用いて製造される、導電性被覆のない少なくとも１つの局所的透明領域を含む、広範囲の、導電性の、透明な被覆を備える透明基板を含む、透明な、電気的に広範囲に加熱可能な物体に関する。
【背景技術】
【０００４】
欧州特許第１１８３９１２号明細書より、日よけのため、または日射制御または日射調整のための、透明な電気的に広範囲に加熱可能な被覆を備える、自動車用グレージングパネルまたは窓ガラス、特にフロントガラスが、知られている。電気的加熱可能被覆は、電気的加熱可能被覆に電力を送る２つの電気母線に接続されている。この知られているフロントガラスは、少なくとも１つのデータ送信窓、またはそれを通じてカメラまたはセンサがフロントガラスを「見通す」ことができる、いわゆるカメラ視野またはセンサ視野を、有している。この窓または場は、電気的に広範囲に加熱可能な被覆と部分的に接触して配置されている。しかしながら、電気的に広範囲に加熱可能な被覆における電場の均質性は、この個別のスポットによって破壊される。これは、フロントガラスを損傷する可能性のある熱応力を引き起こす、フロントガラスの高温および低温スポット、および／または視界を妨げる可能性のある光スポットを、作り出す可能性がある。
【０００５】
欧州特許第１１８３９１２号明細書は、個別スポットの周辺の少なくとも一部分が、母線に接続されて、広範囲の導電性被覆のオームパースクエアの電気抵抗よりもかなり低いオームパースクエアの電気抵抗である電気抵抗を有する、導電帯によって囲まれている。具体的には、導電帯は、０．３５未満、特に０．０５オームパースクエア未満の電気抵抗を有するべきである。
【０００６】
この測定を通じて、電場の均質性が改善されることが可能であって、高温および低温スポットおよび／または光スポットの形成がある程度まで抑制されることが可能であるものの、達成されるレベルは完全に満足のいくものではなく、さらなる改良を必要とする。
【先行技術文献】
【特許文献】
【０００７】
【特許文献１】欧州特許第１１８３９１２号明細書
【特許文献２】独国特許第６９７３１２６８号明細書（欧州特許第０８４７９６５号明細書）
【特許文献３】米国特許出願公開第２００７／０２９１８６号明細書
【特許文献４】米国特許第４，０１０，３０４号明細書
【特許文献５】米国特許第４，５６５，７１９号明細書
【特許文献６】米国特許第４，６５５，８１１号明細書
【特許文献７】米国特許第４，９８５，３１２号明細書
【特許文献８】米国特許第５，１１１，３２９号明細書
【特許文献９】米国特許第５，３２４，３７４号明細書
【特許文献１０】欧州特許出願公開第０６３８５２８号明細書
【特許文献１１】欧州特許出願公開第０７１８２５０号明細書
【特許文献１２】国際公開第００／７２６３５号
【特許文献１３】米国特許第７，２２３，９４０号明細書
【特許文献１４】国際公開第２００６／０９１５３１号
【特許文献１５】米国特許第４，３８５，２２６号明細書
【特許文献１６】米国特許第４，７２５，７１０号明細書
【特許文献１７】欧州特許出願公開第０８２７２１２号明細書
【特許文献１８】欧州特許出願公開第１１０４０３０号明細書
【特許文献１９】国際公開第２００５／０４２２４６号
【特許文献２０】国際公開第２００６／０３４３４６号
【特許文献２１】国際公開第２００７／１４９０８２号
【発明の概要】
【発明が解決しようとする課題】
【０００８】
本発明の目的は、先行技術の欠点を解消すること、および、具体的には、熱応力による窓ガラスの損傷、および／または光スポットによる視界の妨害を効果的に防止するために、電場の均質性、ならびに高温および低温スポットの形成の抑制に関して、欧州特許第１１８３９１２号明細書より知られる自動車用グレージングパネルまたは窓ガラス、特にフロントガラスをさらに改良することである。
【０００９】
具体的には、本発明の目的は、新規な、改良された、透明な、電気的に広範囲に加熱可能な物体、具体的には新規な積層された安全グレージングパネル、特に導電性材料で作られた広範囲の透明被覆で被覆された新規なフロントガラスを利用可能にすることであって、導電性被覆のない少なくとも１つの局所的透明領域、特にカメラまたはセンサ視野があり、その周囲は少なくとも部分的に導電帯で囲まれており、そのオームパースクエアの電気抵抗は、広範囲の導電性被覆のオームパースクエアの電気抵抗よりも実質的に低い。新規な、電気的に広範囲に加熱可能な、透明物体は、特に、熱応力による窓ガラスの損傷、および／または光スポットによる視界の妨害を効果的に防止するために、電場の均質性、ならびに高温および低温スポットの形成の抑制に関して、著しく改良されるべきである。
【００１０】
さらに、本発明の目的は、透明な、電気的に広範囲に加熱可能な物体、具体的には積層された安全ガラス板、特にフロントガラスの製造の新規な改良された方法を利用可能にすることであって、（方法は）もはや先行技術の欠点を有しておらず、むしろ、単純かつ非常に容易に再現可能なやり方で、導電性材料で作られた透明被覆を有する、透明な、電気的に広範囲に加熱可能な物体を、大量に流し、広範囲の導電性被覆には、導電性被覆のない少なくとも１つの局所的透明領域、特にカメラまたはセンサ視野があり、その周囲は少なくとも部分的に導電帯で囲まれており、そのオームパースクエアの電気抵抗は、広範囲の導電性被覆のオームパースクエアの電気抵抗よりも実質的に低い。新規な方法を用いて製造された、電気的に広範囲に加熱可能な透明物体は、特に、熱応力による窓ガラスの損傷、および／または光スポットによる視界の妨害を、効果的に防止するために、電場の均質性、ならびに高温および低温スポットの形成の抑制に関して、改良されるべきである。
【００１１】
そして、特に、本発明の目的は、陸上、航空、および水上交通向けの輸送手段において、ならびに建築、家具、および設備部門においても、新規な、改良された、電気的に広範囲に加熱可能な透明物体の新規な使用、および電気的に広範囲に加熱可能な透明物体を見出すことであったが、その一方で、この新規な用途では、関連のある電気的に広範囲に加熱可能な透明物体において、熱応力および／または光スポットがもはや発生できないように、高温および低温スポットをもたらすことなく、電圧の印加時に、均質なまたは実質的に均質は電場が形成されることが重要である。
【課題を解決するための手段】
【００１２】
新規な、電気的に広範囲に加熱可能な透明物体（１）が見出されたが、これは
少なくとも１つの透明な、電気的に絶縁性の基板（２）と、
電力を送るために２つの電気母線（４．１および４．２）に接続されている、少なくとも１つの広範囲の導電性の透明被覆（３）と、
導電性被覆（３）のない、少なくとも１つの局所的透明領域（５）と、
少なくとも１つの領域（５）の周囲を少なくとも部分的に包囲し、被覆（３）のオームパースクエアの電気抵抗よりも低いオームパースクエアの電気抵抗を有する、被覆（３）に付着される導電帯（６）と、を含み、
導電帯（６）は少なくとも１つの離断（６．１）を有している。
【００１３】
以下において、新規な、電気的に広範囲に加熱可能な透明物体（１）は、「本発明による物体」と称される。
【００１４】
また、電気的に広範囲に加熱可能な透明物体（１）の製造のための新規な方法が見出されており、ここで
（Ｉ）導電性材料（３．１）は、透明な、電気的に絶縁性の基板（２）の上に広範囲に付着され、
材料（３．１）を含有するかまたはこれから作られる、少なくとも１つの透明な導電性被覆（３）、および
被覆（３）のない少なくとも１つの局所的透明領域（５）を、結果的に生じるようになっており、
（ＩＩ）被覆（３）は、２つの母線（４．１および４．２）に接続されており、
（ＩＩＩ）導電帯（６）は、少なくとも部分的に領域（５）の周囲にある被覆に付着されて、被覆（３）のオームパースクエアの電気抵抗よりも低いオームパースクエアの電気抵抗を有し、
プロセスステップ（ＩＩＩ）は、導電帯（６）が少なくとも１つの離断（６．１）を有するように実行される。
【００１５】
以下において、電気的に広範囲に加熱可能な透明物体（１）の製造のための新規な方法は、「本発明による方法」と称される。
【００１６】
そして、特に、本発明による物体の新規な使用、ならびに陸上、航空、および水上交通向けの輸送手段において、ならびに建築、家具、および設備部門においても、新規な方法を用いて製造された、電気的に広範囲に加熱可能な透明物体の新規な使用が見出されており、これは以下において「本発明による使用」と称される。
【００１７】
先行技術に関して、本発明の目的が、本発明による物体、本発明による方法、および本発明による使用を用いて達成され得るということは、当業者にとって驚くべきことであり、予測可能ではなかった。
【００１８】
特に、本発明による物体がもはや先行技術の欠点を有しておらず、むしろそれを通じて熱応力による窓ガラスの損傷および／または光スポットによる視界の妨害が効果的に防止される、電場の均質性、ならびに高温および低温スポットの形成の抑制に関して著しく改善されることは、驚くべきことであった。
【００１９】
また、本発明による方法が、単純かつ非常に容易に再現可能なやり方で、熱応力による窓ガラスの損傷および／または光スポットによる視界の妨害が効果的に防止されるように、電場の均質性、ならびに高温および低温スポットの形成の抑制に関して著しく改善された、透明な、電気的に広範囲に加熱可能な透明物体、特に本発明による物体を、大量に流すことは、驚くべきことであった。
【００２０】
そして、特に、本発明による物体、および本発明による方法を用いて製造される電気的に広範囲に加熱可能な透明物体が、陸上、航空、および水上交通向けの輸送手段において、ならびに建築、家具、および設備部門において、本発明による使用の関連において、目立って使用され得ることは驚くべきことであり、それによって、熱応力および／または光スポットがもはや発現しないように、電圧の印加時に、高温および低温スポットのない均質なまたは実質的に均質な電場が内部に形成された。
【００２１】
本発明による物体は、透明である。これは、これらが少なくとも個別の領域において、しかし好ましくは全体において、電磁放射線、好ましくは３００から１，３００ｎｍの波長を有する電磁放射線、しかし具体的には可視光に対して透過性であることを、意味する。「透過性」とは、透過率が、特に可視光では、５０％超、好ましくは７５％超、特に８０％超であることを、意味する。
【００２２】
本発明による物体は、異なる三次元形状を有することができる。このため、これらは平坦であるか、または１つ以上の方向にわずかにまたは大きく湾曲または屈曲していてもよく、あるいは球体、円筒、円錐、三角形または四角形の底面を有するピラミッド、二重ピラミッド、立方体、二十面体など、規則的または不規則な三次元体の形状を有することが可能である。特に、これらは平坦であるか、または１つ以上の空間的方向に、わずかにまたは大きく湾曲または屈曲している。
【００２３】
本発明による物体のサイズは、大きく異なってもよく、本発明による使用の関連におけるそれぞれの目的によって決定される。このため、本発明による物体は、数センチメートルから数メートルまでの寸法を有することができる。具体的には、平坦であるか、または１つまたは複数の空間的方向にわずかにまたは大きく湾曲または屈曲している物体は、およそ１００ｃｍ２から２５ｍ２、好ましくは１ｍ２を超える表面積を有することができる。しかしながら、本発明による物体は、フロントガラス、サイドウィンドウ、およびリアウィンドウ、または建築部門で使用されるような大面積窓ガラスが一般的に有するような、表面積を有することも可能である。
【００２４】
本発明による物体は、穿孔を有することができる。これらは、実装のため、別の物体との接続のため、および／または導体、特に導電体の通路のための装置を収容するために、使用されることが可能である。
【００２５】
本発明による物体は、少なくとも１つの透明な、電気的に絶縁性の基板を含む。好ましくは、基板は３００から１，３００ｎｍの波長の電磁放射線に対する高い透過率、しかしながら特には、好ましくは５０％超、より好ましくは７５％超、さらに好ましくは８５％超、および特には９５％超の可視光に対する透過率を有する。
【００２６】
したがって、このような透過率を有し、本発明による物体の製造および使用条件の下で、熱的および化学的に安定している上に寸法的にも安定している、すべての透明な、電気的に絶縁性の基板は、根本的に適している。
【００２７】
透明な、電気的に絶縁性の基板は、これらを含む本発明による物体のために規定された物体のいかなる三次元形状も有することができる。好ましくは、三次元形状は、特に気相から均一に被覆され得るように、影領域を有していない。好ましくは、基板は平坦であるか、または１つもしくは複数の方向にわずかにもしくは大きく湾曲している。特には、平坦な基板が使用される。
【００２８】
透明な、電気的に絶縁性の基板は、無色または有色であってもよい。
【００２９】
透明な、電気的に絶縁性の基板の製造に適した材料の例は、ガラスおよび透明プラスチック、好ましくは剛性透明プラスチック、特には、ポリスチレン、ポリアミド、ポリエステル、ポリ塩化ビニル、ポリカーボネート、またはポリメチルメタクリレートである。
【００３０】
好ましくは、ガラスで作られた、透明な、電気的に絶縁性の基板が使用される。基本的に、たとえば「Ｇｌａｓ（ガラス）」、「Ｈａｒｔｇｌａｓ（強化ガラス）」、または「Ｓｉｃｈｅｒｈｅｉｔｓｇｌａｓ（安全ガラス）」のキーワードでＲｏｍｐｐ−Ｏｎｌｉｎｅ  ２００８に記載されているような、すべての一般的な知られているガラスが、基板材料として検討される。適切なガラスの例は、フロートガラス、熱強化フロートガラス、強化フロートガラス、一枚安全ガラス、機器用ガラス、理化学用ガラス、クリスタル、および光学ガラス、特にフロートガラス、熱強化フロートガラス、および強化フロートガラスである。
【００３１】
適切なガラスの例は、欧州特許第０８４７９６５号明細書のドイツ語翻訳、ファイル番号独国特許第６９７３１２１６８号明細書、８ページ、パラグラフ［００５３］より知られている。
【００３２】
透明な、電気的に絶縁性の基板の厚みは幅広く異なることが可能であり、このため個々のケースの要件に高度に対応できる。好ましくは、１．０ｍｍから２５ｍｍ、より好ましくは１．６ｍｍから２．１ｍｍの標準ガラス厚を有するガラスが使用される。
【００３３】
透明な、電気的に絶縁性の基板のサイズは幅広く異なることが可能であり、これらを含む本発明による物体のサイズに基づく。したがって、上述のサイズが、好ましく使用される。
【００３４】
透明な、電気的に絶縁性の基板は、広範囲の、導電性の、透明な被覆で被覆されている。
【００３５】
ここでも、「透明」とは、広範囲の、導電性の、透明被覆が、電磁放射線、好ましくは３００から１，３００ｎｍの波長を有する電磁放射線、しかし具体的には可視光に対して、透過性であることを意味する。「透過性」とは、透過率が、特に可視光では、５０％超、好ましくは７５％超、特に８０％超であることを、意味する。特に好ましいのは、赤外線放射に対して透過性ではない導電性の透明被覆、すなわちこれらが赤外線放射を反射または吸収することである。
【００３６】
広範囲の、導電性の、透明な被覆は、少なくとも１つの導電性材料を含有するか、またはこれから作られる。
【００３７】
したがって、広範囲の、導電性の、透明な被覆は、導電性材料の１つの層、または少なくとも２つの異なる導電性材料の少なくとも２つの層からなる。
【００３８】
また、広範囲の、導電性の、透明な被覆は、導電性材料の少なくとも１つの層、および透明な誘電性材料の少なくとも１つの層から構成されることが可能である。たとえば、広範囲の、導電性の、透明な被覆は、以下の順序で互いに重ねられる、透明な、誘電性材料の第１の層、導電性材料の層、および同じかまたは異なる誘電性材料の第２の層からなってもよい。しかしながら、広範囲の、導電性の、透明な被覆が、少なくとも１つの透明な誘電層が導電層の間に位置するように、交互に重ねられる、少なくとも３つの透明な誘電層、および少なくとも２つの導電層からなることも、可能である。
【００３９】
適切な導電性材料の例は、高導電率を有する金属、たとえば銀、銅、金、アルミニウム、またはモリブデンなど、特に銀または銀パラジウム合金、ならびに、たとえば米国特許出願公開第２００７／０２９１８６号明細書の３ページ、パラグラフ［００２６］、および４ページ、パラグラフ［００３４］に記載されるような、透明な導電性酸化物（透明導電酸化物、ＴＣＯ）である。
【００４０】
好ましくは、ＴＣＯは、インジウム錫酸化物（ＩＴＯ）、フッ素ドープ錫酸化物（ＦＴＯ）、アルミニウムで、ならびに、可能であれば、付加的にホウ素でおよび／または銀でドープされたアルミニウム錫酸化物（アルミニウム錫酸化物、ＡＺＯ）、アンチモンでドープされた錫亜鉛酸化物または錫酸化物（アンチモン錫酸化物、ＡＴＯ）である。好ましくは、ＴＣＯは、１．０から５．０×１０−３Ω×ｍの比抵抗ρを有する。好ましくは、これらは０．５Ω／□から１５Ω／□（オームパースクエア）のシート抵抗Ｒ□を有する。
【００４１】
広範囲の、導電性の、透明な被覆の厚みは幅広く異なることが可能であり、このため、個々のケースの要求に、高度に対応できる。広範囲の、導電性の、透明な被覆の厚みは、電磁放射線、好ましくは３００から１，３００ｎｍの波長の電磁放射線に、特に可視光に対して、不透過性になるほど高くないことが、不可欠である。
【００４２】
好ましくは、厚みは２０ｎｍから１００μｍである。
【００４３】
広範囲の、導電性の、透明な被覆が金属を含む場合、その厚みは好ましくは５０から５００ｎｍ、より好ましくは７５から４００ｎｍ、特には１００から３００ｎｍである。
【００４４】
広範囲の、導電性の、透明な被覆がＴＣＯを含む場合、その厚みは好ましくは１００ｎｍから１．５μｍ、より好ましくは１５０ｎｍから１μｍ、特には２００ｎｍから５００ｎｍである。
【００４５】
広範囲の、導電性の、透明な被覆が少なくとも１つの透明な誘電層および少なくとも１つの金属層を含む場合、その厚みは好ましくは２０から１００μｍ、より好ましくは２５から９０μｍ、特には３０から８０μｍである。
【００４６】
適切な広範囲の導電性の透明被覆、およびその製造方法の例は、以下の特許出願および公開特許より知られている。
米国特許第４，０１０，３０４号明細書、１段６７行目から５段３５行目まで、
米国特許第４，５６５，７１９号明細書、２段３行目から１８段５１行目まで、
米国特許第４，６５５，８１１号明細書、３段５６行目から１３段６３行目まで、
米国特許第４，９８５，３１２号明細書、１段６４行目から７段２５行目まで、
米国特許第５，１１１，３２９号明細書、３段３２行目から１２段まで、
米国特許第５，３２４，３７４号明細書、２段３８行目から６段３７行目まで、
欧州特許出願公開第０６３８５２８号明細書、２ページ１９行目から１０ページ５７行目まで、
欧州特許出願公開第０７１８２５０号明細書、２ページ４２行目から１３ページ４４行目、
独国特許第６９７３１２６８号明細書、３ページ、パラグラフ［００１１］から７ページ、パラグラフ［００５１］まで、８ページ、パラグラフ［００６０］から１３ページ、パラグラフ［００９１］まで、
国際公開第００／７２６３５号、３ページ１６行目から３５行目まで、および
米国特許第７，２２３，９４０号明細書、５段８行目から６段３８行目まで。
【００４７】
また、好ましくはポリアミド、ポリウレタン、ポリ塩化ビニル、ポリカーボネート、およびポリビニルブチラール、特にポリウレタンをベースとする、上述の導電性材料のうちの少なくとも１つで被覆された透明なプラスチック膜が、考慮される。
【００４８】
広範囲の、導電性の、透明な被覆は、透明な絶縁基板を広範囲に覆う。電気的に絶縁性の、透明な基板の表面の、好ましくは少なくとも５０％、より好ましくは少なくとも７０％、特に少なくとも８０％、特には少なくとも９０％が、広範囲に導電性の透明被覆で覆われる。このため、広範囲の、導電性の、透明な被覆は、透明な、電気的に絶縁性の基板を、完全に覆うことさえ可能である。
【００４９】
特に、上述の平坦なまたは湾曲したまたは屈曲した基板の場合、広範囲の、導電性の、透明な被覆は、透明な、電気的に絶縁性の基板を、導電性材料のない電気的に絶縁性の領域によって包囲されるように、覆う。好ましくは、この電気的に絶縁性の領域は、電気的に絶縁性の、透明な基板の縁領域に、位置している。
【００５０】
電気的に絶縁性の領域の幅は幅広く異なることが可能であり、その結果、個々のケースの要求に、高度に対応できる。好ましくは、幅は０．５から１０ｃｍ、より好ましくは０．５から７ｃｍ、特には０．５から５ｃｍである。
【００５１】
電気的に絶縁性の領域は、装飾被覆で覆われることが可能である。
【００５２】
広範囲の、導電性の、透明な被覆は、電力を送るために２つの電気母線に接続されている。２つの母線は、互いに平行または実質的に平行な、広範囲の導電性の透明な被覆の２つの対向する辺上に、一般的な知られているやり方で、配置されている。適切な母線の例は、国際特許出願第００／７２６３５号および第２００６／０９１５３１号、または米国特許第４，３８５，２２６号、第４，７２５，７１０号、または第７，２２３，９４０号明細書より、知られている。
【００５３】
本発明による物体は、広範囲の、導電性の、透明な被覆と少なくとも部分的に接触している、導電性被覆のない少なくとも１つ、特には１つの局所的透明領域を、さらに含む。好ましくは、導電性被覆のない局所的透明領域は、広範囲の、導電性の、透明な被覆の導電性材料によって、完全に囲まれている。
【００５４】
導電性被覆のない局所的透明領域の寸法は、幅広く異なることが可能である。好ましくは、導電性被覆のない局所的透明領域は、本発明による物体の表面の２０％以下を占有する。本発明による物体が、輸送手段、特に自動車のフロントガラスである場合、導電性被覆のない局所的透明領域は、好ましくは運転者の視界の外側に配置される。
【００５５】
導電性被覆のない局所的透明領域は、様々な機能を果たすことができる。好ましくは、領域は、データ、特に電磁放射線によって送信されるデータの、少なくとも１つの受信器の前に配置される、データ送信窓の役割を果たす。具体的には、領域は、カメラまたはセンサの前方に位置されるカメラ視野またはセンサ視野の役割を果たし、カメラおよび／またはセンサは、本発明による物体を通じて、特に可視領域または赤外領域からの、電磁放射線の形態のデータを受信する。
【００５６】
好ましくは、導電性被覆のない局所的透明領域は、欧州特許第１１８３９１２号明細書、４段目、パラグラフ［００２１］からのデータ送信窓について知られるような寸法を有している。
【００５７】
本発明について、導電性被覆のない局所的透明領域の周囲が、１つの導電帯によって、または少なくとも２つの導電帯によって、少なくとも部分的に、特には完全に、包囲されることが不可欠である。
【００５８】
「周囲」とは、導電帯が、導電性被覆のない局所的透明領域に直接隣接している必要はなく、しかしその代わりに、広範囲の、導電性の、透明な被覆の一部分がまた包囲されるように、そこから特定の距離、好ましくは５ｍｍから２ｃｍの位置にあってもよいことを、意味する。
【００５９】
好ましくは、導電帯は、母線に、特に好ましくはデータ送信窓に最も近い母線に、接続されている。特には、導電帯は、母線が導電帯の一部を実質的に構成するように、この母線に接続される。
【００６０】
好ましくは、導電帯は、広範囲の、導電性の、透明な被覆の表面上に直接配置されている。
【００６１】
しかしながら、導電帯は、特に導電性被覆のない領域が母線から離れている場合には、母線に接続されないことも可能である。
【００６２】
導電帯は、広範囲の、導電性の、透明な被覆のオームパースクエアの電気抵抗よりも著しく低いオームパースクエアの電気抵抗を有している。好ましくは、電気抵抗は０．３５未満、より好ましくは０．１未満、特に好ましくは０．０５未満、特には０．０１オームパースクエア未満である。
【００６３】
導電帯の寸法はかなり幅広く異なることが可能であり、その結果、個々のケースの要件に高度に対応できる。具体的には、寸法は、導電帯と広範囲の導電性の透明被覆とのオームパースクエアの電気抵抗の比によって、および導電帯によって包囲される、広範囲の、導電性の、透明な被覆の部分の面積によって、決定される。その結果、当業者は、場合により単純な配向実験またはコンピュータシミュレーションの支援を受けて、当該技術分野の一般的な知識を用いて、個々のケースにおいて有利な寸法を、指定することができる。
【００６４】
好ましくは、導電帯は１０から１００μｍ、より好ましくは１５から８０μｍ、特には２０から５０μｍの厚みである。
【００６５】
好ましくは、導電帯は１００μｍから３ｃｍ、より好ましくは２００μｍから２．５ｃｍ、特には２００μｍから２０ｍｍの幅である。
【００６６】
導電帯の長さは、特に、これが包囲する、導電性被覆のない局所的透明領域の寸法によって、決定される。
【００６７】
導電帯は、高導電性材料を含有する。適切な材料の例は、上に記載されている。
【００６８】
本発明について、導電帯が少なくとも１つの離断、または少なくとも２つの離断を有することも不可欠である。
【００６９】
「離断」とは、与えられた導電帯が、広範囲の、導電性の、透明な被覆の一部によって形成される領域によって中断されていることを意味する。
【００７０】
本発明による物体の第１の実施形態において、導電帯は１つしかなく、そこに少なくとも１つの離断が配置されている。
【００７１】
本発明による物体の第２の実施形態において、少なくとも２つの導電帯があり、少なくとも２つの導電帯の少なくとも２つの平行する領域の間に、少なくとも２つの離断が配置されている。この場合、少なくとも２つの導電帯のうちの少なくとも１つは、帯内に少なくとも１つの離断を有することができる。
【００７２】
本発明による物体のいずれの実施形態においても、帯が接続されている母線と平行であるかまたは実質的に平行な導電帯の領域は、関連する母線につながる領域よりも広くなり得る。
【００７３】
本発明による物体の好適な実施形態において、導電帯のより大きい部分は、母線に導電的に接続されていない。
【００７４】
本発明による物体において、導電帯は、たとえば不透明な装飾被覆によって、光学的に覆われることが可能である。
【００７５】
本発明による物体の電気的に絶縁性の透明な基板がガラスである場合、少なくとももう１つの層が、その表面と、広範囲の導電性の透明被覆との間に配置されることが可能である。好ましくは、少なくとももう１つの層は、透明な障壁層、および透明な接着促進層の群から選択される。
【００７６】
イオン、特にアルカリ金属イオンの拡散を防止するのに適した透明障壁層は、好ましくは誘電性材料、特にはケイ素および／またはアルミニウムの窒化物、酸化物、および酸窒化物で作られている。好ましくは、これらは３０から３００ｎｍの厚みを有する。
【００７７】
同様に、適切な透明接着促進層は、誘電性材料、具体的には亜鉛および錫の混合酸化物で作られている。好ましくは、これらは３から１００ｎｍの厚みを有する。
【００７８】
透明障壁層および透明接着促進層の両方が存在する場合、透明障壁層は、電気的に絶縁性の透明基板の表面に直接接合される。
【００７９】
本発明による物体は、極端に異なるやり方で製造されることが可能である。好ましくは、本発明による物体は、本発明による方法によって製造される。他方では、本発明による方法は、本発明による物体以外の透明な物体の製造に使用されることも可能である。しかしながら、本発明による方法は、特に本発明による物体の製造において、固有の利点を展開する。
【００８０】
本発明による方法の第１のステップの実行の前に、電気的に絶縁性の透明基板は、熱的に処理され、洗浄、特に脱脂され、および／または研磨されることが可能である。その後、上述の障壁層および／または接着促進層のうちの少なくとも１つが付着され、それによって以下に記載される気相から薄層を蒸着させる方法が、使用され得る。
【００８１】
本発明による方法の第１のステップにおいて、関連する導電性材料を含むかまたはこれから作られている少なくとも１つの、特には１つの、透明な導電性被覆、ならびに上述の導電性被覆のない局所的透明領域のうちの少なくとも１つが結果的に生じるように、導電性材料が、透明な、電気的に絶縁性の基板に、広範囲に付着される。
【００８２】
この目的のため、広範囲の、導電性の、透明な被覆の所望の構造、および導電性被覆のない局所的透明領域の所望の構造に対応するマスクが、電気的に絶縁性の、透明基板上に付着されることが可能である。その後、少なくとも１つの導電性材料が、気相から基板上に蒸着されることが可能であり、それによって以下に記載される方法が使用され得る。
【００８３】
しかしながら、電気的に絶縁性の透明な基板の表面は、その全表面にわたって、導電性材料で覆われることも可能である。その後、結果的に得られた広範囲の、導電性の、透明な被覆の所望の部分が、機械的に、熱的に、および／または電磁放射線の照射によって、除去される。非常に精密に働く機械的除去の有利な方法は、超音波ハンマリングである。レーザービームによる除去の有利な方法は、たとえば、欧州特許出願公開第０８２７２１２号明細書および第１１０４０３０号明細書に記載されている。
【００８４】
導電性材料の付着には、気相からの蒸着、液相からの付着、または導電性材料で被覆されたプラスチック膜の積層など、それ自体知られている方法および装置が使用されることが可能である。
【００８５】
好ましくは、広範囲の、導電性の、透明被覆は、気相から蒸着され、それによって、化学気相蒸着（ＣＶＤ、化学蒸着）または物理気相蒸着（ＰＶＤ、物理蒸着）などの一般的かつ知られている方法、ならびにこれに適した対応する装置が、使用され得る。ＣＶＤ法の例は、噴霧熱分解、化学蒸着、およびゾルゲル蒸着である。ＰＶＤ法の例は、電子ビーム蒸着、および真空スパッタリングである。
【００８６】
好ましくは、スパッタリング法が使用される。
【００８７】
スパッタリングは、容易に気化され得ない材料の薄層の製造のための一般的かつ知られている方法である。この方法で、適切な組成の固体の表面、いわゆるターゲットは、酸素イオン（Ｏ＋）および／またはアルゴンイオン（Ａｒ＋）、または中性粒子など、低圧プラズマからの高エネルギーイオンによる衝撃によって微粒化され、その後、微粒化された材料は、薄層の形態で基板上に堆積される（Ｒｏｍｐｐ  Ｏｎｌｉｎｅ，２００８，「Ｓｐｕｔｔｅｒｉｎｇ（スパッタリング）」参照）。好ましくは、ＨＦスパッタリングとして知られる高周波スパッタリング、またはマグネトロンスパッタリング（ＭＳＶＤ）として知られる磁場支援スパッタリングが、使用される。
【００８８】
適切なスパッタリング法は、たとえば、米国特許第７，２２３，９４０号明細書、６段２５行目から３８行目、および第４，９８５，３１２号明細書、４段１８ページから７段１０行目まで、または欧州特許第０８４７９６５号明細書のドイツ語翻訳、ファイル番号独国特許第６９７３１２６８号明細書、８ページ、パラグラフ［００６０］および９ページ、パラグラフ［００７０］から１０ページ、パラグラフ［００７２］までに、記載されている。
【００８９】
本発明による方法の第２のステップにおいて、広範囲の、導電性被覆は、電圧の印加時に電力が送られるように、一般的かつ知られているやり方で、２つの母線に接続されている。
【００９０】
本発明による方法の第３のステップにおいて、導電性被覆のない局所的透明領域の周囲は、上述の離断が生じるように、上述の導電帯の少なくとも一部で、少なくとも部分的に、特には完全に、囲まれている。
【００９１】
導電帯は、好ましくは広範囲の、導電性の、透明被覆上に直接、たとえば印刷または粉体被覆によって、様々な適切な付着方法および装置を用いて、付着されることが可能である。好ましくは、導電帯は印刷され、それによって高導電性材料を含有する導電性インクが使用され得る。印刷の後、結果的に生じる被覆は、熱的に、および／または電磁放射線または電子放射線を用いて、さらに硬化されることが可能である。
【００９２】
その後、広範囲の、導電性の、透明な被覆、導電性被覆のない少なくとも１つの局所的透明領域、および少なくとも１つの導電帯を有する、電気的に絶縁性の、透明な基板が、比較的高温で成型され、具体的には屈曲または湾曲されることが可能である。
【００９３】
温度レベルは、それぞれの絶縁性の透明基板、広範囲の導電性の透明被覆、および／または導電帯が作られる材料によって、決定される。これらがプラスチックを含有するかまたはプラスチックから作られる場合には、温度は、材料が溶融するほどおよび／または熱的に損傷を受けるほど、高く設定されてはならない。好ましくは、これらの場合には、温度はガラス遷移温度より高く、かつ２００℃未満である。ガラス製の基板の場合には、温度は５００から７００℃、特には５５０から６５０℃の間である。
【００９４】
本発明による透明物体、および本発明による方法を用いて製造される透明物体、特に本発明による方法を用いて製造される本発明による物体は、付加的機能層、および付加的な電気的に絶縁性の、透明基板を含むことができる。
【００９５】
適切な機能層の例は、着色層、本発明による物体の構造的安定性を向上させる層、光反射層、および反射防止層である。
【００９６】
具体的には、本発明による物体の構造的安定性を向上させる層が、使用される。これらは、たとえば欧州特許第０８４７９６５号明細書のドイツ語翻訳、ファイル番号欧州特許第６９７３１２１６８号明細書、８ページ、パラグラフ［００５４］および［００５５］、または国際公開第２００５／０４２２４６号、第２００６／０３４３４６号、および第２００７／１４９０８２号より知られているように、硬化型エポキシ樹脂などの注型用樹脂、またはポリビニルブチラール（ＰＶＢ）、ポリ（エチレンビニルアセテート）（ＥＶＡ）、ポリエチレンテレフタレート（ＰＥＴ）、ポリ塩化ビニル（ＰＶＣ）、エチレンおよび／またはプロピレンおよびアルファ、ベータ不飽和カルボン酸またはポリウレタン（ＰＵ）をベースとするアイオノマー樹脂などの熱可塑性合成物質で作られた、接着層、複合膜、機械エネルギー吸収膜、および自己回復膜であってもよい。
【００９７】
好ましくは、付加的な電気的に絶縁性の透明基板は、上述の基板、具体的にはガラス製の基板である。
【００９８】
好ましくは、付加的な電気的に絶縁性の透明基板は、その面積および形状に関して、問題なく接続されるように、本発明による物体に適合している。
【００９９】
好ましくは、付加的な層および／または基板を含む、本発明による結果的に生じる物体は、導電性被覆のない局所的透明領域および導電帯がいずれの場合にも本発明による物体の内側に位置するような構造になっている。
【０１００】
本発明による使用の関連において、本発明による物体および本発明による方法を用いて製造される透明物体、特に本発明による方法を用いて製造される本発明による物体は、陸上、航空、および水上交通向けの輸送手段において、好ましくは自動車、トラック、および列車などの動力車両において、航空機および船舶において、ならびに家具、設備、および建築部門において、好ましくは透明部品として、有利に使用される。
【０１０１】
特に好ましくは、本発明による物体は、輸送手段における窓ガラスとして、具体的には動力車両、特に自動車のフロントガラスとして、建築部門の建築部材として、具体的には屋根用の天井グレージング、ガラス壁、ファサード、窓ガラス、ガラスドア、手すり、柵ガラス、天窓、またはその上を歩けるガラス、ならびに家具および設備の部品、具体的には冷蔵庫および冷凍庫の展示ケース向けに、一枚安全グレージングパネル、および積層安全グレージングパネルの形態で、使用される。
【０１０２】
導電性被覆のない局所的透明領域は、特にデータ送信窓として、具体的にはカメラ視野および／またはセンサ視野として、機能する。
【０１０３】
電圧を印加するとき、寿命が著しく延長され、長寿命の後でも透明性が低下しないように、本発明による物体に関して、高温および低温スポットおよび／または光スポットの形成は、もはや発生しないか、または非常に限定的にのみ発生する。
【０１０４】
以下において、図１および図２を参照して例示によって、本発明による物体が説明される。図１および図２は、本発明の原理を図解するように意図されている模式図である。模式図は、結果的に、縮尺通りである必要はない。結果的に、図示されるサイズ関係は、実際の本発明の実現において使用されるサイズ関係に対応しなくてもよい。
【図面の簡単な説明】
【０１０５】
【図１】本発明の第２の実施形態の第１の変形例を示す図である。
【図２】本発明の第２の実施形態の第２の変形例を示す図である。
【発明を実施するための形態】
【０１０６】
以下において、簡潔さのため、図１および図２の本発明による物体は、「本発明による物体１および２」と称される。
【０１０７】
本発明による物体１および２の基板（１）は、たとえば自動車構造のフロントガラス、サイドウィンドウ、およびリアウィンドウ向けに使用されるように、家具、設備、または建築部門の小型、中型、または大型窓ガラスの寸法のフロートグレージングパネルである。寸法は、数平方センチメートルから数平方メートルであることが可能である。
【０１０８】
本発明による物体１および２の被覆（３）は、いずれの場合も、欧州特許第０８４７９６５号明細書のドイツ語翻訳、ファイル番号独国特許第６９７３１２１６８号明細書、実施例１、９ページ、パラグラフ［００６３］から１１ページ、パラグラフ［００８０］に記載されるような、被覆である。この層は、導電性材料（３．１）として、銀で作られた２つの層を含む。
【０１０９】
データ送信窓（５）は、本発明による物体１および２の被覆（３）内に配置されている。
【０１１０】
本発明による物体１のデータ送信窓（５）は、４０μｍの厚みであって、市販されている印刷された銀ベース導電性ペーストで作られている、導電帯（６）によって包囲されている。母線（４．１）と平行に走るこの領域（６．２）は、１ｍｍの幅である。それを通じて領域（６．２）が母線（４．１）に接続される２つの領域（６．３）は、２５０μｍの幅であって、複数の離断（６．１）を有している。
【０１１１】
本発明による物体２のデータ送信窓（５）は、いずれも４０μｍの厚みであって、市販されている印刷された銀ベース導電性ペーストで作られている、２つの導電帯（６）によって包囲されている。１つの導電帯（６）は、母線（４．１）に接続されている、互いに平行な２つの導電帯（６．３）で形成されている。これら２つの帯（６．３）に関連づけられているのは、母線（４．１）と平行な１つの領域（６．２）、および領域（６．２）から領域（６．４）と平行に母線（４．１）の方向に走っているがそこに接続されてはいない２つの領域（６．４）からなる、導電帯（６）である。この構成の結果、離断（６．１）は、外部導電帯（６）の領域（６．４）と、内部導電帯（６）の領域（６．３）との間に実質的に配置される。
【０１１２】
本発明による物体１および２は、いずれの場合も、積層安全グレージングパネルの典型的な構造である「フロートグレージングパネル（１）／データ送信窓（５）および帯（６）の被覆（３）／接着膜／フロートグレージングパネル」が結果的に生じるように、予備接合法（カレンダーローリング、波状、または真空圧縮法）、およびオートクレーブ法を用いて、ポリビニルブチラール（ＰＶＢ）で作られた接着膜（図示せず）およびフロートグレージングパネル（図示せず）によって、相互に確実に接合される。
【０１１３】
積層安全グレージングパネルの母線（４．１）および（４．２）に１２から１４Ｖの電圧が印加されると、電流が領域（３）を流れ、それによって、高温および低温スポットまたは光スポットを形成することなく、５０℃まで加熱される。
【０１１４】
図１および図２において、参照符号は以下の意味を有する：
【符号の説明】
【０１１５】
１  板状の透明物体
２  透明な電気的に絶縁性の基板
３  広範囲の、導電性の透明被覆
３．１  導電性材料
４．１、４．２  送電用の母線
５  導電性被覆のない局所的透明領域（データ送信窓）
６  導電帯
６．１  離断
６．２  帯（６）が接続されている母線（４．１または４．２）と平行であるかまたは実質的に平行な導電帯（６）の領域
６．３  関連する母線（４．１または４．２）につながる領域
６．４  関連する母線（４．１または４．２）につながるが到達しない領域
【図１】
2014139936.tif 000003
【図２】
2014139936.tif 000004
【手続補正書】
【提出日】平成26年3月7日(2014.3.7)
【手続補正１】
【補正対象書類名】特許請求の範囲
【補正対象項目名】全文
【補正方法】変更
【補正の内容】
【特許請求の範囲】
【請求項１】
電気的に広範囲に加熱可能な透明物体（１）であって、
ａ．少なくとも１つの透明な電気的に絶縁性の基板（２）と、
ｂ．電力を送るために２つの電気母線（４．１および４．２）に接続されている少なくとも１つの広範囲の導電性の透明被覆（３）と、
ｃ．導電性被覆（３）のない少なくとも１つの局所的透明領域（５）と、
ｄ．データ送信窓（５）の周囲を少なくとも部分的に包囲し、被覆（３）のオームパースクエアの電気抵抗よりも低いオームパースクエアの電気抵抗を有する、被覆（３）に付着される導電帯（６）とを含み、
導電帯（６）が、少なくとも１つの離断（６．１）を有し、
導電帯（６）のより大きい部分が、母線（４．１、４．２）に接続されていない、前記電気的に広範囲に加熱可能な透明物体（１）。
【請求項２】
少なくとも１つの離断（６．１）が配置されている導電帯（６）が１つだけ存在する、請求項１に記載の電気的に広範囲に加熱可能な透明物体（１）。
【請求項３】
導電帯（６）が少なくとも２つの離断（６．１）を有する、請求項１に記載の電気的に広範囲に加熱可能な透明物体（１）。
【請求項４】
少なくとも２つの離断（６．１）が少なくとも２つの導電帯（６）の少なくとも２つの平行な領域の間に配置されている、少なくとも２つの導電帯（６）が存在する、請求項３に記載の電気的に広範囲に加熱可能な透明物体（１）。
【請求項５】
少なくとも２つの導電帯（６）のうちの少なくとも１つが、帯内に少なくとも１つの離断（６．１）を有する、請求項４に記載の電気的に広範囲に加熱可能な透明物体（１）。
【請求項６】
導電帯（６）が領域（５）の周囲を完全に包囲する、請求項１から５のいずれか一項に記載の電気的に広範囲に加熱可能な透明物体（１）。
【請求項７】
導電帯（６）が１０から１００μｍの厚みを有する、請求項１から６のいずれか一項に記載の電気的に広範囲に加熱可能な透明物体（１）。
【請求項８】
導電帯（６）が０．３５オームパースクエア未満の電気抵抗を有する、請求項１から７のいずれか一項に記載の電気的に広範囲に加熱可能な透明物体（１）。
【請求項９】
導電帯（６）が５００μｍから３ｃｍの幅を有する、請求項１から８のいずれか一項に記載の電気的に広範囲に加熱可能な透明物体（１）。
【請求項１０】
関連する帯（６）が接続される母線（４．１または４．２）と平行にまたは実質的に平行になっている導電帯（６）の領域（６．２）が、関連する母線（４．１または４．２）につながる領域（６．３）よりも幅広い、請求項１から９のいずれか一項に記載の電気的に広範囲に加熱可能な透明物体（１）。
【請求項１１】
電気的に広範囲に加熱可能な透明物体（１）の製造方法であって、
（Ｉ）導電性材料（３．１）が、透明な電気的に絶縁性の基板（２）の上に広範囲に付着されて、材料（３．１）を含有する少なくとも１つの透明な導電性被覆（３）、および導電性被覆（３）のない少なくとも１つの局所的透明領域（５）を形成し、
（ＩＩ）被覆（３）が、２つの母線（４．１および４．２）に接続されており、
（ＩＩＩ）導電帯（６）が、少なくとも１つの領域（５）の周囲にある被覆に少なくとも部分的に付着され、帯（６）が、少なくとも１つの離断（６．１）を有する共に、被覆（３）のオームパースクエアの電気抵抗よりも低いオームパースクエアの電気抵抗を有し、導電帯（６）のより大きい部分が、母線（４．１、４．２）に接続されていない、前記方法。
【請求項１２】
少なくとも１つの導電帯（６）が、プロセスステップ（ＩＩＩ）において、広範囲の導電性被覆（３）の上に印刷される、請求項１１に記載の方法。
【請求項１３】
陸上、航空、および水上交通向けの輸送手段における、ならびに家具、設備、および建築部門における、請求項１から１０のいずれか一項に記載の電気的な広範囲に加熱可能な透明物体の使用。
【請求項１４】
導電性被覆のない少なくとも１つの局所的透明領域（５）が、データ送信窓として機能する、請求項１３に記載の使用。